(57)【要約】      （修正有）【課題】基礎構造として、深層混合式地盤改良機によるソイルセメントコラムの造成後、固化前に軟質成柱部分にアンカーボルトを簡単に押込んで埋設施可能したソイルセメントコラムを使用することにより、容易に且つ迅速な造成を可能にした基礎構造を提供する。【解決手段】地面１に深層混合式地盤改良機により造成されたソイルセメントコラム２を含む基礎構造であって、固化前軟質の当該ソイルセメントコラムの上方から押込み植設した上で固化したアンカーボルト３を備える。【選択図】図１（ａ）
0003190540.tif 000002
【実用新案登録請求の範囲】
【請求項１】
地面に深層混合式地盤改良機により造成されたソイルセメントコラムを含む基礎構造であって、固化前軟質の当該ソイルセメントコラムの上方から押込み植設した上で固化したアンカーボルトを備えた基礎構造。
【請求項２】
請求項１において、さらにアンカーボルト３の周囲でかつ固化ソイルセメントコラム２の上面を含む地表面にコンクリート打設し基礎コンクリート４を施工してなる基礎構造。
【請求項３】
請求項１又は２において、アンカーボルト部分に、連結されるパイプ支柱状の仲介構造物を備え、当該パイプ支柱の上部に架台を介して太陽光パネル集合体を搭載設置可能とした基礎構造。
【考案の詳細な説明】
【技術分野】
【０００１】
本考案は、先の本考案者による「液状化防止地盤改良施工用スクリューオーガ装置」等、深層混合式地盤改良機による施工された改良地盤を利用する基礎構造に係る考案であり、当該基礎構造が特に軽量機材・機器設置の基礎としての利用に好適な基礎構造に係る考案である。
【背景技術】
【０００２】
近年、省エネ技術の開発から太陽光発電が注目され、太陽光パネル集合体の休耕地活用の設置が普及している。太陽光パネル集合体の設置に際して、太陽光パネル設置用の架台を支持するため鉄筋やパイプ材を使用しての鉄筋組みやパイプ組み等の作業により組み立てられる。またこれらの鉄筋組みやパイプ組み等組み立て作業の前段に基礎工事が必要である。
従来、太陽光パネル集合体の設置作業において、先ず基礎工事として地面に立て穴を掘削し、この掘削穴に予めアンカーボルトの植設されたコンクリート柱体を落し込んで埋め戻し、基礎を設置するものであった。
このため、地面の掘削作業が必要であると共にアンカーボルト植設コンクリート柱体を個別に製造し予め準備しておく必要があった。その上、前記基礎工事を含めた太陽光パネル等の機材・機器の設置においては、太陽光パネル集合体の設置工事に多くの作業工程を要し、煩雑であった。
【０００３】
例えば、図４に例示された先行技術において、鉄骨用基礎構造として、地面に、基礎杭１０の頭部にアンカーボルト１３をセットした先行基礎コンクリート１５ａを打ち、アンカーボルト１３に鉄骨柱１７の底端部を接続固定し、鉄骨柱１７を渡設する仮継ぎ材１９により連結し、鉄骨柱１７のアンカーボルト１３部分を埋め囲んでコンクリート１５ｂを打設して基礎コンクリート部分１５を構成し、基礎コンクリート部分１５の上方に鉄骨柱間に地中梁用コンクリート（図示省略）を打設した鉄骨柱用基礎構造が存在する（特開平５−４４２１９）。しかしこの場合、２度の基礎コンクリート打ちを必要とし、時間が掛かるため迅速な施工を望む上では問題を残すものであった。
【先行技術文献】
【特許文献】
【０００４】
【特許文献１】特開平５−４４２１９号公報
【特許文献２】実用新案登録第３１７２２０９号公報
【考案の概要】
【考案が解決しようとする課題】
【０００５】
本考案はこれを解決するため、深層混合式地盤改良機により造成されたソイルセメントコラム自体の直接利用可能性を見出し、施工の容易さ、施工時間と短縮と費用の節約の観点から工夫するものとして、本考案は案出されたものである。
本考案は、地面に深層混合式地盤改良機により造成されたソイルセメントコラムにおいて、当該ソイルセメントコラムの固化前軟質成柱にアンカーボルトを植設した上で固化造成する基礎構造を基本とするものある。
【０００６】
これまで、深層混合工法は、ビル、盛土道路、堰堤等の上載構造の基礎として広く普及しているものの、上載構造物の無い駐車場、道路、荷重の軽微な木造家屋に対してこれを液状化防止工法として適用し使用した例は従来見当たらない。また、太陽パネル集合体を搭載する架台のコンクリート基礎による野立て設置に利用されることもこれまでなかった。
【０００７】
本考案は、太陽パネル集合体搭載架台等、軽量機材・器具の支持用としてのコンクリート基礎として、本願考案者の「液状化防止地盤改良施工用スクリューオーガ装置」としての掘削機を利用において、当該ソイルセメントコラムの固化前軟質成柱部分に上方からアンカーボルトを簡単に押込んで埋設することにより簡単に短時間で植設固化造成することを見出した。そして、本考案人の「液状化防止地盤改良施工用スクリューオーガ装置」のみならず深層混合式地盤改良工法を実施できる一般の掘削機を利用においても可能であるものであった。そこで、「液状化防止地盤改良施工用スクリューオーガ装置」を含んで「深層混合処理式地盤改良機」と称することとし、基礎礎構造を基本深層混合式地盤改良機を利用することにより、短時間でアンカーボルト植設基礎が得られ、その後の軽量機材・器具の組立て支持作業を含めたトータル作業の簡素化を図り、迅速組立て、経費節減を図ることができものである。
【課題を解決するための手段】
【０００８】
本考案は、地面に深層混合式地盤改良機により造成されたソイルセメントコラムの基礎構造であって、
固化前軟質の当該ソイルセメントコラムの上方から押込み植設した上で固化したアンカーボルトを含んでいる基礎構造の採用によって、上記問題点を解決している。
本考案は、ソイルセメントコラムの基礎構造におけるアンカーボルト部分を介して鉄筋組みや型枠組みを施して軽量機器支持部材を接続固定可能とした基礎構造によっても、上記問題点を解決している。
また、本考案は、アンカーボルト部分に接続固定される鉄筋組みや型枠組みがパイプ材であり、
支柱の上端に設置した架台に太陽光パネル集合体を搭載設置可能とした基礎構造によっても、上記問題点を解決している。
【０００９】
本考案に係る基礎構造は、より具体的には、例えば、本出願人の考案になる「液状化防止地盤改良施工用スクリューオーガ装置」（実用新案登録第３１７２２０９号）等の掘削機を使用して、セメント系固化材（粉体）と水のスラリー状の混合液を注入しながら、機械で掘削・撹拌し、現地盤土壌を骨材とする円柱状のコラムを造成することによって得られる。なお本考案における掘削機は、深層混合処理工法を実行する掘削機であるので、以下「深層混合処理式地盤改良機」と略称する。次いで、地面に深層混合式地盤改良機により造成されたソイルセメントコラムにおいて、地中固化前の軟質状ソイルセメントコラムに、その上部表面から所定の設定された設計位置にアンカーボルトを押し込んで植設し、アンカーボルトは所定位置に保持され固化結合される。
【考案の効果】
【００１０】
本考案によれば、深層混合処理式地盤改良機による改良土壌のソイルセメントコラムにおいて、固化前に軟質成柱部分にアンカーボルトを簡単に押込んで埋設施工して作製することができるので、容易に且つ迅速に基礎構造を確保できる。
これにより、ソイルセメントコラムの基礎構造を含んでそのアンカーボルトを介した骨組み、取付け作業を各種機器の設置に係るトータル作業時間の短縮を図ると共に迅速で且つ安価に、太陽光パネル集合体等の所定の軽量器具を提供することが可能となる。
軽量器具の設置地盤であっても、改良土壌のソイルセメントコラムを有し深層混合処理の施された改良地盤であることから、転倒することのない耐震性のある軽量機器設置構造が確保される。
【図面の簡単な説明】
【００１１】
【図１（ａ）】本考案に係る基本的な基礎構造を縦断面図で示す模式図である。
【図１（ｂ）】図１（ａ）において、さらに地表面にコンクリートを追加打設した場合の縦断面図である。
【図２】本考案に係る基礎構造の造成に際して使用される深層混合処理式地盤改良機の一例を示す。
【図３】本考案に係る基礎構造を太陽光パネル集合体等機器の設置に適用した応用例を模式的に示す図である。
【図４】先行の基礎構造としての鉄骨柱用基礎構造を示す図である。
【考案を実施するための形態】
【００１２】
本考案は、基礎構造に係る施工の簡単化と迅速化を図る目的で、地盤に深層混合式地盤改良機によりソイルセメントコラムを造成し、固化前軟質の当該ソイルセメントコラムにその上方からアンカーボルトを所定位置に押込み植設し固設して、所望の基礎構造を得ることである。
【実施例】
【００１３】
図１において、地盤１にソイルセメントコラム２が造成され、ソイルセメントコラム２にはアンカーボルト３が立設され、アンカーボルト３の周囲に補強用の基礎コンクリート４が打設される。本考案において、基礎構造は、地中にアンカーボルト３を立設して固化したソイルセメントコラム２の単位体が施工されものであり、この単位体において、さらにアンカーボルト３の周囲でかつ固化ソイルセメントコラム２の上面にコンクリート打設し基礎コンクリート４を施工した構造をも意味する。
施工に際しては、先ず、従来地盤改良に使用していた本考案者の「液状化防止地盤改良施工用スクリューオーガ装置」（図２参照）を使用してソイルセメントコラムを造成するものであって、在来の地盤の土を骨材として、回転翼を有し、先端からセメントミルクを噴射して原地盤を固め、これを基礎構造とするものである（詳細は実用新案登録第３１７２２０９号公報参照）。なお、一般の深層混合処理式地盤改良機を採用してソイルセメントコラムを造成する場合であっても同様の効果が得られる。
次いで、地盤１に深層混合式地盤改良機によりソイルセメントコラム２が造成され、固化前軟質の当該ソイルセメントコラム２の上方からアンカーボルト３を所定位置に押込み植設し、最終的にアンカーボルト３が固設され、所望の基礎構造が得られる。
なお、前記ソイルセメントコラム２の上方から押込み植設する部材として、アンカーボルト３を示したが、図示の形状のものに限定されものではない。
【００１４】
図１（ｂ）に示すように、さらに、前記アンカーボルト３を立設して固化したソイルセメントコラム２には、必要に応じて、さらに地表面上に鉄筋組みや型枠組みを施した上で、アンカーボルト３の周囲でかつ固化ソイルセメントコラム２の上面にコンクリート打設し、コンクリート４を施工した基礎構造を得ることができ、この基礎構造においては、当該基礎構造に軽量基礎構造が設置された場合に、上載構造物に風圧により加えられた抜け方向の引張力や曲げモーメントに対してこれを補強する基礎構造を得ることができる。
この場合上記打設するコンクリート４の形状については、円柱状（図３図参照）でも、角形であってもよく、また土饅頭型（図１（ｂ），符合４ａ）とすることでもよい。
【００１５】
実際、上載構造物の荷重Ｖに風圧により加えられた抜け方向の引張力Ｔや曲げモーメントＭに耐えうる基礎構造として、その寸法は、例えばソイルセメントコラム部分において直径を略０．６ｍφ、造成深さを１．２ｍ程度とし、アンカーボルト部分の埋め込み深さを０．８ｍとした基礎構造が図１（ａ）に例示される。
一般の深層混合処理式地盤改良機は、一般に１０ｍ以上の深い掘削に使用される機械であるが、本考案においては浅い掘削に利用するものであり、精々２ｍ程度の浅い掘削で済むため、この点から迅速な施工を可能にする。
【００１６】
更に、本考案では、ソイルセメントコラムの基礎構造におけるアンカーボルト部分を介して一般的な鉄筋組みや型枠組みを施すことによって、（鉄筋組みや型枠組み自体の構造は、本考案の要部ではないので、詳細説明は省略する。）軽量機材・機器支持部材を接続固定可能とした基礎構造としても応用することが可能であり、これにより、基礎構造に係る施工の簡単化と迅速化のみならず、軽量機材・機器設置作業を含めての迅速化を図ることもできる。
上記において、軽量機材・機器支持部材を接続固定可能とした基礎構造としても応用する場合であって、前記鉄筋組みや型枠組みにパイプ材を使用するものであり、パイプ支柱状の仲介構造物とした場合にも同様にトータル的な迅速化に寄与できることはもちろんである。
【符号の説明】
【００１７】
１  地盤
２  ソイルセメントコラム
３  アンカーボルト
４  コンクリート
５  支持部材
６  架台
Ｅ  太陽光パネル集合体
Ｐ  深層混合処理式地盤改良機
【図１（ａ）】
0003190540.tif 000003
【図１（ｂ）】
0003190540.tif 000004
【図２】
0003190540.tif 000005
【図３】
0003190540.tif 000006
【図４】
0003190540.tif 000007